(57)【要約】【課題】本発明は、保護体を有するスーツケースを提供する。【解決手段】本発明のスーツケースの本体１は接合部材により２つのハウジングの半体１１が閉蓋する際に互いに接合すると共に収容空間を形成させ、２つの保護体はハウジングの半体を被覆させる凹部２３を有し、開口部２１の一側には位置決め用フレーム４が周設され、各位置決め用フレームの第二結合部と第一結合部とは結合されると共に被覆されるハウジングの半体の外に固定され、２つの保護体を用いてスーツケースを保護することで本発明を構成させる。【選択図】図１
2014151204.tif 000002
【特許請求の範囲】
【請求項１】
２つのハウジングの半体を有し、前記２つのハウジングの半体の対向し合う一側には外周に接合部材が固定するよう周設され、且つ前記２つの前記接合部材は２つのハウジングの半体が閉蓋する際互いに接合し密閉される収容空間を形成し、各前記接合部材には周設される経路に沿い少なくとも１つの第一結合部が設けられるスーツケースの本体と、
各々が開口部及び前記開口部から陥没する凹部を有し、前記開口部の一側の外周には位置決め用フレームが周設され、前記凹部は前記ハウジングの半体を完全に被覆する深さを有し、各前記位置決め用フレームには経路に沿って少なくとも１つの第二結合部が設けられ、各それらは少なくとも１つの第二結合部により前記少なくとも１つの第一結合部に結合して被覆されるハウジングの半体の外に固定される２つの保護体を備えることを特徴とする保護体を有するスーツケース。
【請求項２】
各前記接合部材は硬質のフレームであり、２つの前記フレームは２つの前記ハウジングの半体が閉蓋する際に当接して互いに接合し、２つの前記ハウジングの半体は閉蓋する際に締め具により固定され、前記少なくとも１つの第一結合部は各前記フレームで前述の互いに接合しあう箇所の外に露出される埋め用溝部に近接され、前記埋め用溝部はフレームに沿い周設され、前記少なくとも１つの第二結合部は前記埋め用溝部中に対応して嵌設される埋め用ストリップであり、前記埋め用ストリップは底部が保護体に固定されることを特徴とする、請求項１に記載の保護体を有するスーツケース。
【請求項３】
前記底部は前記保護体に貼着或いは熱融着され、前記底部と前記埋め用ストリップとの間には連結段を有することを特徴とする、請求項２に記載の保護体を有するスーツケース。
【請求項４】
前記底部は前記保護体に縫合され、前記底部と前記埋め用ストリップとの間には前記連結段を有し、前記底部は前記連結段の一端から離れ前記連結段に向け折り返すひさし部により縫い目を遮蔽させることを特徴とする、請求項２に記載の保護体を有するスーツケース。
【請求項５】
前記底部は前記保護体に縫合され、前記底部と前記埋め用ストリップとの間には前記連結段を有し、前記連結段は前記底部が前記埋め用ストリップの一端から離れ前記埋め用ストリップに向け折り返し、前記連結段により前記縫い目を遮蔽させることを特徴とする、請求項２に記載の保護体を有するスーツケース。
【請求項６】
前記２つの接合部材はそれぞれファスナーの半体であり、２つの前記半体は２つの前記ハウジングの半体が閉蓋する際にファスナーの歯により歯合されて互いに接合すると共に直接固定され、前記少なくとも１つの第一結合部は各前記半体であり前述の互いに接合する箇所の外に設けられる第一マジックテープ(登録商標)部に近接され、前記第一マジックテープ(登録商標)部は前記半体に沿い周設され、前記少なくとも１つの第二結合部は内側に面ファスナーのような前記第一マジックテープ(登録商標)部に対応して貼着される第二マジックテープ(登録商標)部が設けられるゴムであり、前記ゴムは前記底部により保護体に固定されることを特徴とする、請求項１に記載の保護体を有するスーツケース。
【請求項７】
前記底部は前記保護体に貼着され、前記ゴムは前記ひさし部を有し、前記ひさし部は前記ゴムに設けられる前記第二マジックテープ(登録商標)部の一端から前記底部の一端に向け折り返され、前記ひさし部は前記ファスナーの半体と前記ハウジングの半体とを固定する前記縫い目を遮蔽させることを特徴とする、請求項６に記載の保護体を有するスーツケース。
【請求項８】
前記底部は前記保護体に縫合され、前記ゴムは前記縫い目を遮蔽させる前記ひさし部を有し、前記ひさし部の前記底部の前記第二マジックテープ(登録商標)部から離れる一端から前記第二マジックテープ(登録商標)部の方向に向け折り返され、前記第二マジックテープ(登録商標)部の一端の前記ひさし部の下から前記底部に向け水平に延長部が延設され、前記第二マジックテープ(登録商標)部は前記延長部の下に設けられ、前記ひさし部により前記ファスナーの半体と前記ハウジングの半体とを固定させる前記縫い目、及び前記底部と保護体との前記縫い目が遮蔽されることを特徴とする、請求項６に記載の保護体を有するスーツケース。
【請求項９】
前記底部は前記保護体に縫合され、前記ゴムは前記縫い目を遮蔽させる前記ひさし部を有し、前記ひさし部は前記底部の前記第二マジックテープ(登録商標)部から離れる一端から前記第二マジックテープ(登録商標)部の方向に向け折り返され、前記底部の前記第二マジックテープ(登録商標)部に近接する一端から前記第二マジックテープ(登録商標)部の方向に向け水平に前記延長部が延設され、前記第二マジックテープ(登録商標)部は前記延長部の下に設けられ、前記ひさし部により前記ファスナーの半体と前記ハウジングの半体とを固定させる前記縫い目、及び前記底部と前記保護体との前記縫い目を遮蔽させることを特徴とする、請求項６に記載の保護体を有するスーツケース。
【請求項１０】
前記２つの接合部材はそれぞれ前記ファスナーの半体であり、前記２つの半体は前記２つのハウジングの半体が閉蓋する際に前記ファスナーの歯により歯合されると共に互いに接合し直接固定され、前記少なくとも１つの第一結合部は各前記半体であり且つ前述の互いに接合する箇所の外に露出される埋め用溝部に近接され、前記埋め用溝部はフレームに沿い周設され、前記少なくとも１つの第二結合部は前記埋め用溝部中に対応して嵌設される前記埋め用ストリップであり、前記埋め用ストリップは前記底部により前記保護体に固定されることを特徴とする、請求項１に記載の保護体を有するスーツケース。
【請求項１１】
前記底部は前記保護体に貼着され、前記底部と前記埋め用ストリップとの間には前記連結段を有することを特徴とする、請求項１０に記載の保護体を有するスーツケース。
【請求項１２】
前記底部は前記保護体に縫合され、前記底部と前記埋め用ストリップとの間には前記連結段を有し、前記底部の前記連結段から離れる一端から前記連結段に向け折り返される前記ひさし部により前記縫い目を遮蔽させることを特徴とする、請求項１０に記載の保護体を有するスーツケース。
【請求項１３】
前記底部は前記保護体に縫合され、前記底部と前記埋め用ストリップとの間には前記連結段を有し、前記連結段は前記底部の前記埋め用ストリップから離れる一端から前記埋め用ストリップに向け折り返され、前記連結段により前記縫い目を遮蔽させることを特徴とする、請求項１０に記載の保護体を有するスーツケース。
【請求項１４】
各前記保護体は前記開口部から離れる先端のハウジング部を有し、前記先端のハウジング部は孔が無い平滑な表面であり、各前記保護体は装飾部を有し、前記装飾部は内表面及び外表面を含む前記保護体にプリントされ、或いは装飾用張り紙が設けられて前記保護体の内表面に結合されることを特徴とする、請求項１に記載の保護体を有するスーツケース。
【請求項１５】
各前記保護体の材質は硬質或いは軟質であり、透明或いは不透明であることを特徴とする、請求項１に記載の保護体を有するスーツケース。
【発明の詳細な説明】
【技術分野】
【０００１】
本発明は、保護体を有するスーツケースに関する。
【背景技術】
【０００２】
図１５に示す従来のスーツケースの構成は、本体９が２つのハウジングの半体９１に閉蓋されることで構成され、締め具或いはファスナーにより固定され密閉される収容空間を形成させ、ユーザーは荷物を前記収容空間内に収容して携帯する。
【０００３】
しかしながら、前述した従来のスーツケースで、消費者はスーツケースを購入する際、本体の外形及び質感を比較するため、メーカーはスーツケース本体の設計のみならず、外観も消費者の注目を引くようにする。然しながら、消費者が好みのスーツケースを購入した後に直面する最も困難な問題は、使用時に本体をぶつけて傷が付き、スーツケース本体本来の外観を損ねるのを防ぐことである。
【発明の概要】
【発明が解決しようとする課題】
【０００４】
そこで、本発明者は上記の欠点が改善可能と考え、鋭意検討を重ねた結果、合理的かつ効果的に課題を改善する本発明の提案に到った。
【０００５】
本発明は、上述のような従来の問題を解決するためになされたもので、上記課題を解決するため、本発明は、保護体を有するスーツケースを提供することを主目的とする。
【課題を解決するための手段】
【０００６】
上述した課題を解決し、目的を達成するために、本発明に係る保護体を有するスーツケースは、
２つのハウジングの半体を有し、前記２つのハウジングの半体の対向し合う一側には外周に接合部材が固定するよう周設され、且つ前記２つの前記接合部材は２つのハウジングの半体が閉蓋する際、互いに接合し密閉される収容空間を形成させ、各前記接合部材には周設される経路に沿い少なくとも１つの第一結合部が設けられるスーツケースの本体と、
各々が開口部及び前記開口部から陥没する凹部を有し、前記開口部の一側の外周には位置決め用フレームが周設され、前記凹部は前記ハウジングの半体を完全に被覆させる深さを有し、各前記位置決め用フレームには経路に沿い少なくとも１つの第二結合部が設けられ、各それらは少なくとも１つの第二結合部により前記少なくとも１つの第一結合部に結合されて被覆されるハウジングの半体の外に固定される２つの保護体を備えることを特徴とする。
【発明の効果】
【０００７】
本発明によれば、２つの保護体によりスーツケースの本体の２つのハウジングの半体の外を被覆させ、２つの保護体はスーツケースのハウジングの半体の外カバーであり、運搬時にスーツケースの本体を保護する効果を達成する。
【図面の簡単な説明】
【０００８】
【図１】本発明の第１実施例による保護体を有するスーツケースを示す傾斜図である。
【図２】本発明の第１実施例の接合部材を係止合わせる概略図である。
【図３】本発明の第１実施例の位置決め用フレームを示す概略図である。
【図４】本発明の第１実施例のハウジングを位置決め用フレームによりハウジングの半体に結合させる接合部材を示す概略図である。
【図５】本発明の第１実施例の他の実施形態の位置決め用フレームを示す概略図である。
【図６】本発明の第１実施例の他の実施形態の位置決め用フレームを示す概略図である。
【図７】本発明の第２実施例の接合部材を係止合わせる概略図である。
【図８】本発明の第２実施例のゴム構成を示す概略図である。
【図９】本発明の第２実施例のハウジングをゴムによりハウジングの半体に結合させる接合部材を示す概略図である。
【図１０】本発明の第２実施例の他の実施形態のゴム構成を示す概略図である。
【図１１】本発明の第２実施例の他の実施形態のゴム構成を示す概略図である。
【図１２】本発明の第３実施例のファスナーの半体及びハウジングの半体の縫い目の構成を示す概略図である。
【図１３】本発明の保護体を塑性板により形成させる外観を示す概略図である。
【図１４】図１３の保護体が折られる前の塑性板構成の外観を示す概略図である。
【図１５】従来のスーツケースの外観を示す傾斜図である。
【発明を実施するための形態】
【０００９】
以下に図面を参照して、本発明を実施するための形態について、詳細に説明する。なお、本発明は、以下に説明する実施形態に限定されるものではない。
【００１０】
＜第１実施例＞
以下、第１実施例を図１〜６に基づいて説明する。本発明の実施形態に係る保護体を有するスーツケースは図１に示すように、スーツケースの本体１及び２つの保護体を備え、２つの保護体は本実施例に於いては不透明のハウジング２である。前記本体１は２つのハウジングの半体１１を有し、２つのハウジングの半体１１の対向し合う一側の外周には皆接合部材が固定するよう周設され、２つの接合部材は２つのハウジングの半体１１が閉蓋する際に互いに接合することで密閉される収容空間を形成させ、各接合部材に周設される経路に沿い少なくとも１つの第一結合部が設けられる。
【００１１】
本実施例による各接合部材は硬質のフレーム３（図２参照）であり、本実施例では常用されるアルミ材である。２つのフレーム３はハウジングの半体１１に溶接され、２つのハウジングの半体１１が閉蓋する際に当接して互いに接合し、２つのハウジングの半体１１が閉蓋する際に締め具（図示せず）により固定される。前記少なくとも１つの第一結合部は各フレーム３で前述の互いに接合し合う箇所の外に露出される埋め用溝部３１に近接され、埋め用溝部３１はフレーム３に沿い周設される。
【００１２】
なお、図１に示すように、各ハウジング２は本実施例ではブロー成型された塑性板であり、開口部２１及び前記開口部２１から陥没する凹部２３を有し、前記凹部２３はハウジングの半体１１を完全に被覆させるのに十分な深さがある。前記開口部２１の一側の外周には位置決め用フレーム４が周設され、位置決め用フレーム４は軟質材質により製造される。本実施例ではゴム材質で製造され、各位置決め用フレーム４には周設される経路に沿い少なくとも１つの第二結合部が設けられ、各ハウジング２は少なくとも１つの第二結合部により少なくとも１つの第一結合部に結合されると共に被覆されるハウジングの半体１１の外に固定される。本実施例によると、各ハウジング２は前記開口部から離れる先端のハウジング部２２を有し、各前記先端のハウジング部２２は孔が無く平滑な外表面であり、先端のハウジング部２２の外表面には装飾部２２１を有する。本実施例による装飾部２２１は、ハウジング２の成型前に外表面に柄や紋様がプリントされ、その後ハウジング２の形状を成型させることでハウジング２の外見を飾る装飾部２２１を有する。異なる実施態様では、ハウジング２の成型前に内表面に柄や紋様がプリントされることで、ハウジング２の内面を飾る装飾部２２１を有する。
【００１３】
図３に示す少なくとも１つの第二結合部は埋め用ストリップ４１であり、埋め用ストリップ４１は前記埋め用溝部３１中に対応して嵌設され、埋め用ストリップ４１は底部４１１がハウジング２に固定される。底部４１１は本実施例によれば前記ハウジング２に貼着され（或いは熱融着方式により固定）、底部４１１と埋め用ストリップ４１との間には連結段４１２を有する。
【００１４】
本実施例によるスーツケースは２つのハウジング２を本体１に装着する場合、ハウジング２は開口部の一側２１からハウジングの半体１１に向け嵌入され、ハウジングの半体１１がハウジング２に完全に被覆されると、位置決め用フレーム４の埋め用ストリップ４１はフレーム３の埋め用溝部３１内に嵌入し、ハウジング２は本体１に固定される（図４参照）。
【００１５】
本発明の長所として、本発明に係わるスーツケースは、本体１の２つのハウジングの半体１１に２つのハウジング２が被覆することで保護效果を達成させる。故にスーツケースに荷物を入れた後、運搬中にぶつかっても２つのハウジング２が衝撃を受け止め、２つのハウジングの半体１１により構成される本体１は購入時の原形を維持させる。
【００１６】
ちなみに、前記２つのハウジング２の目的は、主に本体１を保護することであり、低価格の材質を選択させて製造するため、本体がぶつかって損壊し使用不可能になっても、ハウジング２を交換すれば再び保護効果を得る。このほか、ハウジング２を交換させるのみで装飾部２２１も変更でき、異なる装飾效果を達成させる。
【００１７】
本実施例に係わる接合部材は上述の位置決め用フレーム４以外、異なる形態が存在する。図５に示すように、他のフレーム４Ａは底部４１１Ａが前記ハウジング２に縫合され、底部４１１Ａと埋め用ストリップ４１Ａとの間には連結段４１２Ａを有し、前記底部４１１Ａの前記連結段４１２Ａから離れる一端は前記連結段に向け折り返されるひさし部４１３Ａになり、ひさし部４１３Ａは前記縫い目Ａを遮蔽させる。また、図６に示すように、他のフレーム４Ｂの前記底部４１１Ｂは前記ハウジング２に縫合され、底部４１１Ｂと埋め用ストリップ４１Ｂとの間には連結段４１２Ｂを有し、連結段４１２Ｂは前記底部４１１Ｂの前記埋め用ストリップ４１Ｂから離れる一端から前記埋め用ストリップ４１Ｂに向け折り返し、前記連結段４１２Ｂにより前記縫い目Ｂを遮蔽させる。
【００１８】
＜第２実施例＞
以下、第２実施例を図７〜１１に基づいて説明する。図７は本発明の第２実施例である。前記２つの接合部材はそれぞれはファスナー５の半体５１であり、２つの半体５１は２つのハウジングの半体１１が閉蓋する際にファスナーの歯が歯合されることで互いに接合して直接固定され、前記少なくとも１つの第一結合部は各半体５１で前述の互いに接合する箇所の外に設けられる第一マジックテープ(登録商標)部５１１に近接され、第一マジックテープ(登録商標)部５１１は半体５１に沿い周設される。図８によると、前記少なくとも１つの第二結合部はゴム６であり、ゴム６の内側には第二マジックテープ(登録商標)部６１が設けられ、第二マジックテープ(登録商標)部６１及び前記第一マジックテープ(登録商標)部５１１は面ファスナーに対応させて貼着させ、前記ゴム６は底部６２によりハウジング２に固定される。
【００１９】
本実施例に係るゴム６は、底部６２が前記ハウジング２に貼着され、ゴム６はひさし部６３を有し、ひさし部６３はゴム６により第二マジックテープ(登録商標)部６１の一端から前記底部６２の一端に向け折り返され、前記ひさし部６３により前述のファスナー５の半体５１とハウジングの半体１１とを固定させる縫い目Ｃを遮蔽させる。これにより、第１実施例と同様の効果を達成させる（図９参照）。
【００２０】
本実施例による接合部材は上述のゴム６以外、異なる形態を有する。図１０によれば、他の形態のゴム６Ａは、底部６２Ａが前記ハウジング２に縫合され、ゴム６Ａはひさし部６３Ａを有する。本実施例に係るひさし部６３Ａは前記底部６２Ａの前記第二マジックテープ(登録商標)部６１Ａから離れる一端から第二マジックテープ(登録商標)部６１Ａの方向に向け折り返され、第二マジックテープ(登録商標)部６１Ａの一端のひさし部６３Ａの下から前記底部６２Ａに水平に延長部６２１Ａが延設され、前記第二マジックテープ(登録商標)部６１Ａは延長部６２１Ａの下に設けられ、前記ひさし部６３Ａにより前述ファスナー５の半体５１とハウジングの半体１１とを固定させる縫い目（図示せず）、及び前記底部６２Ａとハウジング２との縫い目Ｄを遮蔽させる。図１１に示す他の実施形態のゴム６Ｂでは、前記底部６２Ｂは前記ハウジング２に縫合され、ゴム６Ｂはひさし部６３Ｂを有し、ひさし部６３Ｂは前記底部６２Ｂの前記第二マジックテープ(登録商標)部６１Ｂから離れる一端から第二マジックテープ(登録商標)部６１Ｂの方向に向け折り返され、前記底部６２Ｂの前記第二マジックテープ(登録商標)部６１Ｂに近接する一端から第二マジックテープ(登録商標)部６１Ｂの方向に向け水平に延長部６２１Ｂが延設され、前記第二マジックテープ(登録商標)部６１Ｂは延長部６２１Ｂの下に設けられ、前記ひさし部６３Ｂにより前述のファスナー５の半体５１とハウジングの半体１１とを固定させる縫い目（図示せず）、及び前記底部６２Ｂとハウジング２との縫い目Ｅを遮蔽させる。
【００２１】
＜第３実施例＞
本発明の第３実施形態の構成を図１２から図１４に示す。図１２は本発明の第３実施例である。前記２つの接合部材それぞれはファスナー７の半体７１であり、２つの半体７１は２つのハウジングの半体１１が閉蓋する際にファスナーの歯が歯合されることで互いに接合して直接固定される。前記少なくとも１つの第一結合部は各半体７１で前述の互いに接合する箇所の外に露出される埋め用溝部７２に近接され、埋め用溝部７２はフレームに沿い周設され、前記少なくとも１つの第二結合部は前記埋め用溝部７２中に対応して嵌設される埋め用ストリップであり、図示はしない。構造は第１実施例の各形態の埋め用ストリップ４、埋め用ストリップ４Ａ及び埋め用ストリップ４Ｂにより底部４１１、底部４１１Ａ及び底部４１１Ｂがハウジング２に固定され、第１実施例と同様の効果を達成させる。
【００２２】
本発明による保護体は、上述の各実施例に示すブロー成型される塑性板のハウジング２のほか、塑性膜により製造されるゴムカバー（図示せず）にも同様に前述の位置決め用フレーム４が周設されてハウジングの半体１１に固定される。或いは図１３に示すハウジング２Ａは、図１４に示す塑性板２Ｂが折曲されることで形成され、ハウジング２Ａは透明材質により製造され、ハウジング２Ａの角は中空部２１Ａを有し、湾曲成型後に角の保護体２２Ａが装設され、同様に前述の位置決め用フレーム４を周設させてハウジングの半体１１に固定させ、内表面には柄や紋様等の装飾用張り紙２３Ａがプリントされ、スーツケースの保護及び装飾效果を達成させる。
【００２３】
以上、本発明の実施形態について図面を参照して詳述したが、具体的な構成はこの実施形態に限られるものではなく、本発明の要旨を逸脱しない範囲の設計変更等も含まれる。
【符号の説明】
【００２４】
９ 本体
９１ ハウジングの半体
１ 本体
１１ ハウジングの半体
２ ハウジング
２１ 開口部
２２ 先端のハウジング部
２２１ 装飾部
２３ 凹部
３ フレーム
３１ 埋め用溝部
４ 位置決め用フレーム
４１ 埋め用ストリップ
４１１ 底部
４１２ 連結段
４Ａ フレーム
４１１Ａ 底部
４１２Ａ 連結段
４１３Ａ ひさし部
４Ｂ フレーム
４１１Ｂ 底部
４１２Ｂ 連結段
５ ファスナー
５１ 半体
５１１ 第一マジックテープ(登録商標)部
６ ゴム
６１ 第二マジックテープ(登録商標)部
６２ 底部
６３ ひさし部
６Ａ ゴム
６１Ａ 第二マジックテープ(登録商標)部
６２Ａ 底部
６２１Ａ 延長部
６３Ａ ひさし部
６Ｂ ゴム
６１Ｂ 第二マジックテープ(登録商標)部
６２Ｂ 底部
６２１Ｂ 延長部
６３Ｂ ひさし部
７ ファスナー
７１ 半体
７２ 埋め用溝部
Ａ 縫い目
Ｂ 縫い目
Ｃ 縫い目
Ｄ 縫い目
Ｅ 縫い目
２Ａ ハウジング
２Ｂ 塑性板
２１Ａ 中空部
２２Ａ 角の保護体
２３Ａ 装飾用張り紙
【図１】
2014151204.tif 000003
【図２】
2014151204.tif 000004
【図３】
2014151204.tif 000005
【図４】
2014151204.tif 000006
【図５】
2014151204.tif 000007
【図６】
2014151204.tif 000008
【図７】
2014151204.tif 000009
【図８】
2014151204.tif 000010
【図９】
2014151204.tif 000011
【図１０】
2014151204.tif 000012
【図１１】
2014151204.tif 000013
【図１２】
2014151204.tif 000014
【図１３】
2014151204.tif 000015
【図１４】
2014151204.tif 000016
【図１５】
2014151204.tif 000017